(57)【要約】【課題】構造体と複数のスタッドを有するベースプレートを備えた履物を提示する。【解決手段】履物が、前足領域、踵領域、前足領域と踵領域との間に位置する中足部、前足領域と踵領域を貫くように延びている長手方向軸、前側コバ、後側コバ、内側コバおよび外側コバを含むベースプレートと、ベースプレートの前足領域に配置された構造体であって、中足部および内側コバと隣接して配置された第１の内側前足パッド、並びに中足部および外側コバと隣接して配置された第１の外側前足パッドを含む構造体と、第１の内側前足パッド上に配置された第１の内側前足スタッドと、第１の外側前足パッド上に配置された第１の外側前足スタッドと、を備え、第１の内側前足パッドは、１つの点において第１の外側前足パッドに接続されているとともに第１の外側前足パッドの方向へ先細になっている一方で、第１の外側前足パッドは、第１の内側前足パッドの方向へ先細になっていることを特徴とする。【選択図】図５
2015211923.tif 000002
【特許請求の範囲】
【請求項１】
前足領域、踵領域、上記前足領域と上記踵領域との間に位置する中足部、上記前足領域と踵領域を貫くように延びている長手方向軸、前側コバ、後側コバ、内側コバおよび外側コバを含むベースプレートと、
上記ベースプレートの上記前足領域に配置された構造体であって、上記中足部および上記内側コバと隣接して配置された第１の内側前足パッド、並びに上記中足部および上記外側コバと隣接して配置された第１の外側前足パッドを含む構造体と、
第１の内側前足パッド上に配置された第１の内側前足スタッドと、
第１の外側前足パッド上に配置された第１の外側前足スタッドと、
を備え、
第１の内側前足パッドは、１つの点において第１の外側前足パッドに接続されているとともに第１の外側前足パッドの方向へ先細になっている一方で、第１の外側前足パッドは、第１の内側前足パッドの方向へ先細になっていることを特徴とする履物。
【請求項２】
上記構造体は、上記点に配置された中心クリートをさらに含むことを特徴とする請求項１に記載の履物。
【請求項３】
第１の内側前足パッドは、第１の内側前足スタッドの根元よりも広い表面積を有する一方で、第１の外側前足パッドは、第１の外側前足スタッドの根元よりも広い表面積を有することを特徴とする請求項１に記載の履物。
【請求項４】
上記構造体は、第１の外側前足パッド上に第１の外側前足スタッドと隣接して配置された第２の外側前足スタッドをさらに含むことを特徴とする請求項１に記載の履物。
【請求項５】
上記構造体は、
上記前側コバおよび上記内側コバに隣接して配置された第２の内側前足パッドと、
第２の内側前足パッド上に配置された第２の内側前足スタッドと、
第１の内側前足パッドを第２の内側前足パッドに接続している内側前足バーと、
をさらに含むことを特徴とする請求項１に記載の履物。
【請求項６】
上記構造体は、
上記前側コバおよび上記外側コバに隣接して配置された第２の外側前足パッドと、
第２の外側前足パッド上に配置された第２の外側前足スタッドと、
第１の外側前足パッドを第２の外側前足パッドに接続している外側前足バーと、
をさらに含むことを特徴とする請求項１に記載の履物。
【請求項７】
上記踵領域に上記内側コバに隣接して配置された内側踵パッドと、
上記内側踵パッド上に配置された内側踵スタッドと、
上記踵領域に上記外側コバに隣接して配置された第１の外側踵パッドと、
第１の外側踵パッド上に配置された第１の外側踵スタッドと、
をさらに備える請求項１に記載の履物。
【請求項８】
第１の内側前足パッドから第１の外側踵パッドまで延びている第１の斜めリブと、
第１の外側前足パッドから上記内側踵パッドまで延びている第２の斜めリブと、
上記内側コバに隣接して配置され、第１の斜めリブ上の第１の点から第２の斜めリブ上の第２の点まで延びている内側中足バーと、
上記外側コバに隣接して配置され、第２の斜めリブ上の第３の点から第１の斜めリブ上の第４の点まで延びている外側中足バーと、
をさらに備える請求項７に記載の履物。
【請求項９】
上記構造体は、上記踵領域に配置されかつ上記内側踵パッドから第１の外側踵パッドまで延びている踵リブをさらに含むことを特徴とする請求項８に記載の履物。
【請求項１０】
上記構造体は、上記後側コバと隣接して配置されかつ第１の外側踵パッドに接続された第２の外側踵パッドと、第２の外側踵パッド上に配置された第２の外側踵スタッドと、をさらに含むことを特徴とする請求項８に記載の履物。
【発明の詳細な説明】
【技術分野】
【０００１】
本発明は概して履物に関し、詳しくはクリート（滑り止め具）を備えた運動靴に関する。
【背景技術】
【０００２】
クリートを有する履物は、これまでも提案されている。従来のクリートは、概して、スポーツシューズが地面を掴むことを補助するが、これらのクリートは、推進力を最適化するのと同時に着用者の足を安定させるものとは限らない。さらに言えば、従来のクリートは、必ずしも安定性と応答性をもたらすのと同時にスタッド（小突起）の圧力を緩和できるものでもない。
【発明の概要】
【発明が解決しようとする課題】
【０００３】
短距離走で一歩目を踏み出すときの推進力を最適化しかつ安定性と応答性をもたらすのと同時に、急に方向転換するときのスタッドの圧力を緩和することができるクリートを持つ運動靴を備えることが有利である。
【課題を解決するための手段】
【０００４】
構造体と複数のスタッドを有するベースプレートを備えた履物を開示する。構造体は、短距離走で一歩目を踏み出すときや、急に方向転換するときや、後方へ動くときのスタッドの圧力を緩和するとともに支持を改善する。
【０００５】
一態様においては、履物は、前足領域、踵領域、上記前足領域と踵領域を貫くように延びている長手方向軸、前側コバ、および後側コバを含むベースプレートと、上記ベースプレート上に配置された構造体であって、上記前足領域に上記中足部および内側コバと隣接して配置された内側前足パッド、上記前足領域に上記中足部および外側コバと隣接して配置された外側前足パッド、上記踵領域に上記内側コバと隣接して配置された内側踵パッド、上記踵領域に上記外側コバと隣接して配置された第１の外側踵パッド、上記内側前足パッドから第１の外側踵パッドまで延びている第１の斜めリブ、上記外側前足パッドから上記内側踵パッドまで延びている第２の斜めリブ、上記長手方向軸とほぼ平行にかつ上記内側コバと隣接して配置された内側中足バー、並びに上記長手方向軸とほぼ平行にかつ上記外側コバと隣接して配置された外側中足バーを含む構造体と、上記内側前足パッド上に配置された内側前足スタッドと、上記内側踵パッド上に配置された内側踵スタッドと、上記外側前足パッド上に配置された第１の外側前足スタッドと、第１の外側踵パッド上に配置された第１の外側踵スタッドと、を備え、上記内側中足バーは、第１の斜めリブ上の第１の点から第２の斜めリブ上の第２の点まで延在している一方で、上記外側中足バーは、第２の斜めリブ上の第３の点から第１の斜めリブ上の第４の点まで延在していることを特徴とする。
【０００６】
上記構造体は、上記踵領域に配置されかつ上記内側踵パッドから第１の外側踵パッドまで延びている踵リブをさらに含み得る。上記構造体は、第１の外側踵パッドに接続された第２の外側踵パッドをさらに含み得る。上記履物は、第２の外側踵パッドに接続された第２の外側踵スタッドをさらに含み得る。上記内側踵パッドは、内側踵スタッドの根元よりも広い表面積を有し得る一方で、第１の外側踵パッドは、第１の外側踵スタッドの根元よりも広い表面積を有し得る。履物は、上記外側前足パッド上に配置された第２の外側前足スタッドをさらに備え得る。上記内側前足パッドは、第１の点で上記外側前足パッドに接続されているとともに上記外側前足パッドの方向へ先細になっている一方で、上記外側前足パッドは、上記内側前足パッドの方向へ先細になっているとよい。上記構造体は、第１の点に配置された中心クリートを備え得る。
【０００７】
他の態様においては、履物は、前足領域、踵領域、上記前足領域と上記踵領域との間に位置する中足部、上記前足領域と踵領域を貫くように延びている長手方向軸、前側コバ、および後側コバを含むベースプレートと、上記ベースプレートの上記前足領域に配置された構造体であって、上記前側コバおよび内側コバと隣接して配置された第１の内側前足パッド、上記前側コバおよび外側コバと隣接して配置された第２の内側前足パッド、上記中足部および内側コバと隣接して配置された第１の外側前足パッド、並びに上記中足部および外側コバと隣接して配置された第２の外側前足パッドを含む構造体と、第１の内側前足パッド上に配置された第１の内側前足スタッドと、第２の内側前足パッド上に配置された第２の内側前足スタッドと、第１の外側前足パッド上に配置された第１の外側前足スタッドと、第２の外側前足パッド上に配置された第２の外側前足スタッドと、を備え、第１の内側前足パッドは、第１の点で第１の外側前足パッドに接続されているとともに第１の外側前足パッドの方向へ先細になっている一方で、第１の外側前足パッドは、第１の内側前足パッドの方向へ先細になっていることを特徴とする。上記構造体は、第１の点に配置された第１の中心クリートをさらに含み得る。第１の内側前足パッドは、第１の内側前足スタッドの根元よりも広い表面積を有し得る一方で、第１の外側前足パッドは、第１の外側前足スタッドの根元よりも広い表面積を有し得る。上記構造体は、第２の外側前足パッド上に第２の外側前足スタッドと隣接して配置された第３の外側前足スタッドをさらに含み得る。
【０００８】
上記構造体は、第１の内側前足パッドを第２の内側前足パッドに接続している内側前足バーをさらに含み得る。上記構造体は、第１の内側前足パッドを第２の外側前足パッドに接続している外側前足バーをさらに含み得る。第２の内側前足パッドは、第２の点で第２の外側前足パッドに接続しているとともに第２の外側前足パッドの方向へ先細になっている一方で、第２の外側前足パッドは、第２の内側前足パッドの方向へ先細になっているとよい。上記構造体は、第２の点に配置された第２の中心クリートをさらに含み得る。
【０００９】
他の態様においては、履物は、前足領域、踵領域、上記前足領域と上記踵領域との間に位置する中足部、上記前足領域と踵領域を貫くように延びている長手方向軸、前側コバ、および後側コバを含むベースプレートと、上記ベースプレート上に配置された構造体であって、上記前側コバおよび内側コバと隣接して配置された第１の内側前足パッド、上記前側コバおよび外側コバと隣接して配置された第２の内側前足パッド、上記前足領域に上記中足部および内側コバと隣接して配置された第１の外側前足パッド、上記前足領域に上記中足部および外側コバと隣接して配置された第２の外側前足パッド、第１の内側前足パッドから第２の内側前足パッドまで延びている内側前足バー、第１の外側前足パッドから第２の外側前足パッドまで延びている外側前足バー、上記踵領域に上記内側コバと隣接して配置された内側踵パッド、上記踵領域に上記外側コバと隣接して配置された第１の外側踵パッド、上記内側前足パッドから第１の外側踵パッドまで延びている第１の斜めリブ、上記外側前足パッドから上記内側踵パッドまで延びている第２の斜めリブ、上記内側前足バーとほぼ平行にかつ上記内側コバと隣接して配置された内側中足バー、上記外側前足バーとほぼ平行にかつ上記外側コバと隣接して配置された外側中足バーを含む構造体と、を備え得る。
【００１０】
履物は、上記内側前足パッド上に配置された内側前足スタッドと、上記内側踵パッド上に配置された内側踵スタッドと、上記外側前足パッド上に配置された第１の外側前足スタッドと、第１の外側踵パッド上に配置された第１の外側踵スタッドと、をさらに備え、上記内側中足バーは、第１の斜めリブ上の第１の点から第２の斜めリブ上の第２の点まで延在していて、上記外側中足バーは、第２の斜めリブ上の第３の点から第１の斜めリブ上の第４の点まで延在していることを特徴とする。第１の内側前足パッドが第５の点で第１の外側前足パッドに接続されていて、上記構造体は第５の点に配置された第１の中心スタッドを含み、第２の内側パッドが第６の点で第２の外側前足パッドに接続されていて、上記構造体は第６の点に配置されている第２の中心スタッドをさらに含み得る上記構造体は、上記踵領域に配置されかつ上記内側踵パッドから第１の外側踵パッドまで延びている踵リブをさらに備え得る。上記構造体は、上記後側コバと隣接して配置されかつ第１の外側踵パッドに接続された第２の外側踵パッドと、第２の外側踵パッドに配置された第２の外側踵スタッドと、をさらに含み得る。
【００１１】
当業者であれば、以下の詳細な説明および添付の図面を参照することによって、本発明の他のシステム、方法、特徴および利点が明らかとなろう。そのような追加のシステム、方法、特徴および利点のすべてが、以下の詳細な説明および概要に含まれるとともに、本発明の範囲に含まれ、添付の特許請求の範囲により保護されるべきことを意図している。
【００１２】
上記の概要と以下の詳細な説明は、添付の図面を参照しつつ読むことにより更によく理解されよう。なお、各図における構成要素は、正確な縮尺で寸法を示しているとは限らず、本発明の原理を示すことに重点を置いている。なお、各図に亘って示されている同様の参照番号は、互いに対応する部分（部品）を指し示している。
【図面の簡単な説明】
【００１３】
【図１】外側から見たスタッド付きベースプレートを備えた履物の一実施例を示す等角投影図。
【図２】外側から見たベースプレートの一実施例を示す側面図。
【図３】内側から見た履物の一実施例を示す等角投影図。
【図４】内側から見たベースプレートの一実施例を示す側面図。
【図５】一実施例におけるベースプレートの底面を示す平面図。
【図６】前足領域において曲がっているベースプレートの一実施例を示す図。
【図７】一実施例におけるベースプレートの上面を示す平面図。
【発明を実施するための形態】
【００１４】
構造体と複数のスタッドを有するベースプレートを備えた履物を開示する。図１〜図７は、ベースプレート１０２の一実施例を示す。ベースプレート１０２は、履物１００に関連し得る。以下の詳細な説明は、サッカーシューズの形態の一実施例に関して検討するが、以下の説明の考え方は、ベースボールシューズ、ラグビーシューズおよびフットボールシューズ（これらの履物に限定しない）を含む種々の履物に関連し得ることに留意されたい。図１に示されている履物１００は、左足用の履物である。しかし、以下の詳細な説明は、履物１００が鏡写しにされた右足用の履物にも適用され得ることを理解されたい。
【００１５】
いくつかの実施例においては、ベースプレート１０２は、アッパー１０４に関連し得る。図１および図３は、アッパー１０４を点線で示している。図１は、外側から見た履物１００を示す等角投影図である。図３は、内側から見た履物１００を示す等角投影図である。アッパー１０４は、種々の周知の機構または方法によってベースプレート１０２にくっ付けられている。例えば、アッパー１０４は、ベースプレート１０２に縫い付けられているかベースプレート１０２に糊付けされている。アッパー１０４は、足を受けるように構成され得る。この実施例においては、アッパー１０４の一般的なデザインが示されている。いくつかの実施例においては、アッパー１０４は、他の種類のデザインにされる。
【００１６】
ベースプレート１０２およびアッパー１０４は、履物の製造に使用される当技術分野で周知の材料からつくられる。例えば、ベースプレート１０２は、エラストマ、シロキサン、天然ゴム、合成ゴム、アルミニウム、スチール（鋼鉄）、天然皮革、合成皮革、プラスチックまたは熱可塑性物質からつくられる。他の例においては、アッパー１０４は、ナイロン、天然皮革、合成皮革、天然ゴムまたは合成ゴムからつくられる。
【００１７】
簡潔に示すために、ベースプレート１０２は、図２および図４〜図７において他から分離して示されている。図２は、外側から見たベースプレート１０２の側面図である。図４は、内側から見たベースプレート１０２の側面図である。ベースプレート１０２は、上面２０６と底面２０８を含み得る。ベースプレート１０２は、該ベースプレート１０２の長さ方向に延びている長手方向軸Ａを有し得る（図５参照）。ベースプレート１０２は、アッパー１０４にくっ付いているように構成され得る。また、ベースプレート１０２は、履物のミッドソールまたはインソールにくっ付いているように構成され得る。上面２０６が、ミッドソールまたはインソールと接触するように構成され得る。ベースプレート１０２は、着用者の前足付近に位置する前足領域１０７を含み得る。ベースプレート１０２は、前足領域１０７の反対側にあって着用者の踵付近に位置する踵領域１１１を含み得る。ベースプレート１０２は、前足領域１０７と踵領域１１１との間に位置する中足領域１０９を含み得る。ベースプレート１０２は、内側コバ１１２と、内側コバ１１２とは反対側にある外側コバ１１６と、を含み得る。ベースプレート１０２の中心領域は、内側コバ１１２と外側コバ１１６との間の中間点付近の領域を含み得る。ベースプレート１０２は、前側コバ１１０と、前側コバ１１０の反対側に位置する後側コバ１１４と、を含み得る。
【００１８】
底面１０８は、地面と接触するように構成され得る。例えば、底面１０８は、草、人工芝、土または砂と接触するように構成される。ベースプレート１０２は、これらの地面との静止摩擦力を増大させる装備を有し得る。そのような装備としては、例えば、複数のスタッドがある。複数のスタッドが配置されていることによって、着用者が斜め方向に走り、振り向き、止まり、加速し、または横方向へ動くときの静止摩擦力が大きくなり得る。スタッドについては、以下に詳述する。
【００１９】
ベースプレート１０２は、スタッド以外にも、地面と接触して静止摩擦力を増大させる構成要素を含み得る。いくつかの実施例においては、ベースプレート１０２は、スタッドよりも小さな静止摩擦エレメントを含む。例えば、ベースプレート１０２は、複数の歯１６８を含む。ベースプレート１０２上の静止摩擦エレメントは、地面と係合することによって、着用者が地上で前進するときのコントロール特性を高めることができる。これに加え、静止摩擦エレメントは、着用者が地面を削って横へ動くときの安定性を高めることができる。いくつかの実施例においては、静止摩擦エレメントは、ベースプレート１０２内に型成形されている。いくつかの実施例においては、ベースプレート１０２は、取り外し可能な静止摩擦エレメントを受けるように構成されている。図１〜図６に示されているように、複数の歯１６８が、前側コバ１１０に沿って前足領域１０７に配置されている場合がある。
【００２０】
ベースプレート１０２は、構造体１１８用の運搬プレートであり得る。構造体１１８は、ベースプレート１０２用のフレームないし留め具として機能し得る。構造体１１８は、ベースプレート１０２よりも剛性が高く応答性も高い材料からつくられている場合があり、その場合、ベースプレート１０２の動きに影響を与える。構造体１１８は、履物の製造に使われる当技術分野で周知の材料からつくられ得る。例えば、いくつかの実施例においては、ベースプレート１０２は、ナイロン１１、植物由来のポリアミド・バイオプラスチックなどの再生可能材料からつくられる。構造体１１８は、ベースプレート１０２上に配置されたスタッドの圧力を緩和し得る。いくつかの実施例においては、ベースプレート１０２は、取り外し可能なスタッドを受けるように構成されている。他の実施例においては、ベースプレート１０２は、型成形されたスタッドと関連している。例えば、ベースプレート１０２は、型成形されたスタッドを受けるように構成されている。他の例においては、ベースプレート１０２は、型成形によりベースプレート１０２と一体に形成されたスタッドを含む。図１および図３に示されているように、構造体１１８は、ベースプレート１０２よりも高く配置され得る。他の実施例においては、構造体１１８の一部または全部がベースプレート１０２と面一に配置されている。
【００２１】
スタッドは、履物をつくるための当技術分野で周知の材料からつくられ得る。例えば、スタッドは、エラストマ、シロキサン、天然ゴム、合成ゴム、アルミニウム、スチール（鋼鉄）、天然皮革、合成皮革、プラスチックまたは熱硬化性材料からつくられる。いくつかの実施例においては、複数のスタッドは、同じ材料からつくられる。他の実施例においては、複数のスタッドは、様々な材料からつくられる。例えば、あるスタッドがアルミニウムからつくられる一方で、他のスタッドは熱可塑性材料からつくられる場合がある。いくつかの実施例においては、複数のスタッドは同じ形状を有する。他の実施例においては、複数のスタッドは様々な形状を有する。例えば、図１〜図７に示されている実施例は、様々な形状のスタッドを示している。いくつかの実施例においては、複数のスタッドは、同じ高さ、同じ幅、及び／又は同じ厚さを有する。他の実施例においては、複数のスタッドは、互いに異なる高さ、互いに異なる幅及び／又は互いに異なる厚さを有する。
【００２２】
いくつかの実施例においては、構造体１１８は、ベースプレート１０２の前足領域１０７に配置されている。他の実施例においては、構造体１１８は、ベースプレート１０２の踵領域１１１に配置されている。いくつかの実施例においては、構造体１１８は、ベースプレート１０２の中足領域１０９に配置されている。さらに他の実施例においては、構造体１１８は、ベースプレート１０２の前足領域１０７、中足領域および踵領域１１１のうちの２つ以上の領域に配置されている。
【００２３】
いくつかの実施例においては、ベースプレート１０２は、構造体１１８を収容するように構成されている。いくつかの実施例においては、ベースプレート１０２は、凹部を有する起伏面を含み、この凹部内へ構造体１１８が収容され得る。いくつかの実施例においては、前足領域１０７に配置された構造体１１８の一部が、第１の内側前足パッド１２０、第２の内側前足パッド１２２、第１の外側前足パッド１２４、第２の外側前足パッド、内側前足バー１２８および外側前足バー１３０を含む。いくつかの実施例においては、前足領域１０７と後側コバ１１４との間に配置された構造体１１８の一部が、第１の斜めリブ１４６、第２の斜めリブ１４８、内側中足バー１５０、外側中足バー１５２、内側踵パッド１５４、第１の外側踵パッド１５６および第２の外側踵パッド１５８を含む。いくつかの実施例においては、構造体１１８は、１つの部品からなる一体型構成要素として用意される。
【００２４】
第１の内側前足パッド１２０は、前足領域１０７に前側コバ１１０および内側コバ１１２と隣接して配置され得る。第１の外側前足パッド１２４は、前足領域１０７に前側コバ１１０および外側コバ１１６と隣接して配置され得る。第１の外側前足パッド１２４は、第１の内側コバ１１２よりも前側コバ１１０の近くに配置され得る。第１の内側前足パッド１２０は、第１の外側前足パッド１２４に接続されているとよい。いくつかの実施例においては、第１の内側前足パッド１２０は、外側コバ１１６の方向へ先細になっている。いくつかの実施例においては、第１の内側前足パッド１２０は、第１の外側前足パッド１２４の方向へ先細になっている。いくつかの実施例においては、第１の外側前足パッド１２４は、内側コバ１１２の方向へ先細になっている。いくつかの実施例においては、第１の外側前足パッド１２４は、第１の内側前足パッド１２０の方向へ先細になっている。第１の内側前足パッド１２０及び／又は第１の外側前足パッド１２４の寸法、形状及び／又は位置は、様々なファクタに基づいて選択され得る。例えば、第１の内側前足パッド１２０の寸法、形状及び／又は位置は、ベースプレート１０２にある程度の剛性をもたらし及び／又はある程度の圧力をもたらすように選択される。第１の内側前足パッド１２０および第１の外側前足パッド１２４が、第１の内側前足パッド１２０と第１の外側前足パッド１２４との接続点まで先細になっていることで、ベースプレート１０２が当該接続点において柔軟性（可撓性）を維持できるようになっているとよい。このような構成は、横方向の柔軟性をもたらし得る。
【００２５】
いくつかの実施例においては、第１の内側前足スタッド１３２は、第１の内側前足パッド１２０上に配置されている。いくつかの実施例においては、第１の外側前足スタッド１３６は、第１の外側前足パッド１２４上に配置されている。第１の内側前足スタッド１３２及び／又は第１の外側前足パッド１２４の寸法、形状及び／又は位置は、様々なファクタに基づいて選択され得る。例えば、第１の内側前足スタッド１３２の寸法、形状及び／又は位置は、つま先が離れているときにもある程度の穿通（力）をもたらすように選択され得る。いくつかの実施例においては、第１の内側前足パッド１２０は、第１の内側前足スタッド１３２の根元よりも広い表面積を有する。いくつかの実施例においては、第１の内側前足スタッド１３２の根元の寸法、形状及び／又は位置は、第１の内側前足パッド１２０の寸法、形状および位置に基づいて選択される。第１の内側前足スタッド１３２が根元から先端まで先細になっていることで、根元に安定性をもたらすとともに先端での穿通（力）が高められているとよい。第１の内側前足スタッド１３２は、円形の先端を有し得る。いくつかの実施例においては、第１の外側前足パッド１２４は、第１の外側前足スタッド１３６の根元よりも広い表面積を有する。いくつかの実施例においては、第１の外側前足スタッド１３６の根元の寸法、形状及び／又は位置は、第１の外側前足パッド１２４の寸法、形状および位置に基づいて選択される。第１の外側前足スタッド１３６が根元から先端まで先細になっていることで、根元に安定性をもたらすとともに先端の穿通（力）が高められているとよい。第１の外側前足スタッド１３６は、円形の先端を有し得る。
【００２６】
第２の内側前足パッド１２２は、前足領域１０７に中足領域１０９および内側コバ１１２と隣接して配置され得る。第２の外側前足パッド１２６は、前足領域１０７に中足領域１０９および外側コバ１１６と隣接して配置され得る。第２の内側前足パッド１２２は、第２の外側前足パッド１２６に接続されているとよい。いくつかの実施例においては、第２の内側前足パッド１２２は、外側コバ１１６の方向へ先細になっている。いくつかの実施例においては、第２の内側前足パッド１２２は、第２の外側前足パッド１２６の方向へ先細になっている。いくつかの実施例においては、第２の外側前足パッド１２６は、内側コバ１１２の方向へ先細になっている。いくつかの実施例においては、第２の外側前足パッド１２６は、第２の内側前足パッド１２２の方向へ先細になっている。第２の内側前足パッド１２２及び／又は第２の外側前足パッド１２６の寸法、形状及び／又は位置は、様々なファクタに基づいて選択され得る。例えば、第２の内側前足パッド１２２の寸法、形状及び／又は位置は、ベースプレート１０２にある程度の剛性をもたらし及び／又はある程度の圧力をもたらすように選択される。第２の内側前足パッド１２２および第２の外側前足パッド１２６が、第２の内側前足パッド１２２と第２の外側前足パッド１２６との接続点まで先細になっていることで、ベースプレート１０２が当該接続点において柔軟性を維持することができるとよい。このような構成を有することにより、横方向の柔軟性がもたらされ得る。
【００２７】
いくつかの実施例においては、第２の内側前足スタッド１３４は、第２の内側前足パッド１２２上に配置されている。いくつかの実施例においては、第２の外側前足スタッド１３８は、第２の外側前足パッド１２６上に配置されている。いくつかの実施例においては、第３の外側前足スタッド１４０は、選択的に、第２の外側前足パッド１２６上に配置されている。第２の内側前足スタッド１３４、第２の外側前足スタッド１３８及び／又は第３の外側前足スタッド１４０の寸法、形状及び／又は位置は、様々なファクタに基づいて選択され得る。例えば、第２の内側前足スタッド１３４の寸法、形状及び／又は位置は、つま先が離れているときにもある程度の穿通（力）をもたらすように選択される。他の例においては、第２の外側前足スタッド１３８および第３の外側前足スタッド１４０の寸法、形状及び／又は位置は、着用者が横へ動くときの安定性を向上させるとともに着用者の足の外側における静止摩擦力を高めるように選択される。いくつかの実施例においては、第２の内側前足スタッド１３４は孔１３３を含み、第２の外側前足スタッド１３８は孔１３７を含み、及び／又は第３の外側前足スタッド１４０は孔１３９を含む。孔１３３、孔１３７及び／又は孔１３９は、２００９年９月２４日に発行されたＡｕｇｅｒらの米国特許出願公開第２００９／０２３５５５８号明細書（発明の名称『Ｃｌｅａｔ  Ｍｅｍｂｅｒ  ｆｏｒ  Ａｒｔｉｃｌｅ  ｏｆ  Ｆｏｏｔｗｅａｒ』）に開示されている種々の特徴部を含む場合があり、上記明細書の全体が本願の参照となる。いくつかの実施例においては、第２の外側前足スタッド１３８と第３の外側前足スタッド１４０とは互いに、外側中足バー１５２とほぼ平行な方向に整列している。いくつかの実施例においては、第２の内側前足パッド１２２は、第２の内側前足スタッド１３４の根元よりも広い表面積を有する。いくつかの実施例においては、第２の内側前足スタッド１３４の根元の寸法、形状及び／又は位置は、第２の内側前足パッド１２２の寸法、形状および位置に基づいて選択される。第２の内側前足スタッド１３４が根元から先端まで先細になっていることで、根元に安定性をもたらすとともに先端での穿通（力）が高められているとよい。第２の内側前足スタッド１３４は、円形の先端を有し得る。
【００２８】
各図に示されているように、いくつかの実施例においては、第２の外側前足スタッド１３８と第３の外側前足スタッド１４０とは、これら２つのスタッドが単一の根元を共有するように、これらの根元において結合している。いくつかの実施例においては、第２の外側前足パッド１２６は、第２の外側前足スタッド１３８および第３の外側前足スタッド１４０の根元よりも広い表面積を有する。いくつかの実施例においては、第２の外側前足スタッド１３８及び／又は第３の外側前足スタッド１４０の根元の寸法、形状及び／又は位置は、第２の外側前足パッド１２６の寸法、形状および位置に基づいて選択される。第２の外側前足スタッド１３８が根元から先端まで先細になっていることで、根元に安定性をもたらすとともに先端での穿通（力）が高められているとよい。第２の外側前足スタッド１３８は、円形の先端を有し得る。第３の外側前足スタッド１４０が根元から先端まで先細になっていることで、根元に安定性をもたらすとともに先端での穿通（力）が高められているとよい。第３の外側前足スタッド１４０は、円形の先端を有し得る。いくつかの実施例においては、第２の外側前足スタッド１３８と第３の外側前足スタッド１４０の各々が、自己の根元を有する。そのような実施例においては、個別の根元が互いに接続されている場合もある。
【００２９】
いくつかの実施例においては、第１の中心スタッド１４２が、前足領域１０７の中心領域に配置される。いくつかの実施例においては、第１の中心スタッド１４２は、第１の内側前足パッド１２０と第１の外側前足パッド１２４とが接続する点に配置される。第１の中心スタッド１４２は、前方へ動くときに静止摩擦力をもたらし得る。いくつかの実施例においては、第１の中心スタッド１４２の根元の寸法、形状及び／又は位置は、様々なファクタに基づいて選択される。例えば、第１の中心スタッド１４２の根元の寸法、形状及び／又は位置は、第１の内側前足パッド１２０と第１の外側前足パッド１２４との接続点の寸法に基づいて選択される。第１の中心スタッド１４２の根元の寸法は、当該接続点の表面積と同じである場合もある。第１の中心スタッド１４２の幅が根元から先端まで先細になっていることで、根元に安定性をもたらすとともに先端での穿通（力）が高められているとよい。第１の中心スタッド１４２が有し得る一定の厚さは、第１の中心スタッド１４２の幅と比べて薄い。
【００３０】
いくつかの実施例においては、第２の中心スタッド１４４が、前足領域１０７の中心領域に配置されている。いくつかの実施例においては、第２の中心スタッド１４４は、第２の内側前足パッド１２２と第２の外側前足パッド１２６とが接続する点に配置されている。いくつかの実施例においては、第２の中心スタッド１４４と第１の中心スタッド１４２とは、ベースプレート１０２の中心領域に沿って実質的に整列している。いくつかの実施例においては、第２の中心スタッド１４４と第１の中心スタッド１４２とは、ベースプレート１０２の中心領域に沿って整列してはいない（若干ずれている）。第２の中心スタッド１４４は、前方へ動く際に静止摩擦力をもたらし得る。いくつかの実施例においては、第２の中心スタッド１４４の根元の寸法、形状及び／又は位置は、様々なファクタに基づいて選択される。例えば、第２の中心スタッド１４４の根元の寸法、形状及び／又は位置は、第２の内側前足パッド１２２と第２の外側前足パッド１２６との接続点の寸法に基づいて選択される。第２の中心スタッド１４４の根元の寸法が、当該接続点の表面積と同じ場合もある。第２の中心スタッド１４４の幅が根元から先端まで先細になっていることで、根元に安定性をもたらすとともに先端での穿通（力）が高められているとよい。いくつかの実施例においては、第２の中心スタッド１４４が一定の厚さを有し、この一定の厚さは、第２の中心スタッド１４４の幅と比べて薄くなっている。
【００３１】
内側前足バー１２８が第１の内側前足パッド１２０を第２の内側前足パッド１２２に接続させるように、内側前足バー１２８は、第１の内側前足パッド１２０から第２の内側前足パッド１２２まで延在し得る。内側前足バー１２８は、内側コバ１１２と隣接して配置され得る。内側前足バー１２８は、該内側前足バー１２８と隣接している内側コバ１１２の一部とほぼ平行な方向に延在し得る。つまり、内側前足バー１２８は、長手方向軸Ａとほぼ平行な方向に延在し得る。いくつかの実施例においては、内側前足バー１２８は、ほぼ真直ぐに延びている。図５に示されているように、いくつかの実施例においては、内側前足バー１２８は、内側コバ１１２の湾曲に追従するように若干湾曲している。内側前足バー１２８の寸法、形状及び／又は位置は、様々なファクタに基づいて選択され得る。例えば、内側前足バー１２８の寸法、形状及び／又は位置は、ベースプレート１０２にある程度の剛性をもたらすと共にあるレベルの柔軟性を維持できるように選択される。図１〜図７に示されているように、内側前足バー１２８は、薄くて幅広であるとよい。さらに図１〜図７に示されているように、内側前足バー１２８は、平坦なプロファイルを有するとともに上面２０６と底面１０８の両方でベースプレート１０２とほぼ面一になっている場合がある。
【００３２】
外側前足バー１３０が第１の外側前足パッド１２４を第２の外側前足パッド１２６に接続させるように、該外側前足バー１３０は、第１の外側前足パッド１２４から第２の外側前足パッド１２６まで延在し得る。外側前足バー１３０は、外側コバ１１６と隣接して配置され得る。外側前足バー１３０は、該外側前足バー１３０と隣接している外側コバ１１６の一部とほぼ平行な方向に延在し得る。つまり、外側前足バー１３０は、長手方向軸Ａとほぼ平行な方向に延在し得る。いくつかの実施例においては、外側前足バー１３０は、ほぼ真直ぐに延びている。図５に示されているように、いくつかの実施例においては、外側前足バー１３０は、外側コバ１１６の湾曲に追従するように若干湾曲している。外側前足バー１３０の寸法、形状及び／又は位置は、様々なファクタに基づいて選択され得る。例えば、外側前足バー１３０の寸法、形状及び／又は位置は、ベースプレート１０２にある程度の剛性をもたらすと共にあるレベルの柔軟性を維持できるように選択される。図１〜図７に示されているように、外側前足バー１３０は薄くて幅広であるとよい。さらに図１〜図７に示されているように、外側前足バー１３０は、平坦なプロファイルを有するとともに上面２０６と底面１０８の両方でベースプレート１０２とほぼ面一になっている場合がある。
【００３３】
第１の内側前足パッド１２０、内側前足バー１２８、第２の内側前足パッド１２２、第２の外側前足パッド１２６、外側前足バー１３０および第１の外側前足パッド１２４は、一体に結合されているとともに、前足領域１０７の周縁付近に位置しているとよい。この構成を有することで、着用者の体重による加圧が、前足領域１０７に配置された複数のスタッドに分散され得る。さらには、この結合を有することで、前足領域１０７内に剛性および支持がもたらされ得る。前足領域１０７におけるスタッドの寸法および形状に対して決められたパッドの寸法および形状は、着用者の体重を複数のスタッドに分散させることを支援し得る。各図に示されているように、そのようなパッドの一表面積は、該パッドの他の部分と比べて広い面積を有し得る。パッドの表面積が比較的広い場合には剛性をもたらし、パッドの表面積が比較的小さい場合には柔軟性をもたらし得る。例えば、第１の内側前足パッド１２０と第１の外側前足パッド１２４の表面積は、これら２つのパッドが互いに接続する位置において最小となる。同様に、第２の内側前足パッド１２２と第２の外側前足パッド１２６の表面積は、これら２つのパッドが互いに接続する位置において最小となる。これら４つのパッドの表面積が最小となる位置が前足領域１０７の中心に沿って整列していることで、前足領域１０７の中心に沿って柔軟性がもたらされ得る。このような柔軟性は、方向転換するときに支援し得る。
【００３４】
内側前足バー１２８と外側前足バー１２０とは、互いにほぼ平行になっているとよい。図６は、第１の位置にあるベースプレート１０２を実線で示している。前足領域１０７は、第１の位置にあるときに、曲げられている。この第１の位置となり得るのは、着用者が前足で地面を蹴っているときである。図６は、第２の位置を点線で示している。この第２の位置となり得るのは、着用者が前足で地面を蹴る前か蹴った後に、着用者の足が地面に対して平らになっているときである。矢印は、前足領域１０７が曲げられ得る方向を示している。図１〜図７に示されている実施例においては、図６に実線で示されている位置まで前足領域１０７が曲がり得るように、内側前足バー１２８と外側前足バー１２０とは共に薄くつくられているとよい。図１〜図７に示されている実施例においては、着用者の足が中足指節関節に沿って曲がることに伴い構造体１１８も曲がるように、内側前足バー１２８と外側前足バー１２０は、薄くできているとよい。しかし、前足領域１０７が弾性を有することで図６に点線で示されている位置まで構造体１１８がすぐに復帰するように、内側前足バー１２８と外側前足バー１２０は共に幅広につくられているとよい。このような弾性は片持ち効果を生じさせるが、この片持ち効果は、着用者が前足領域１０７を蹴り離すときに生じる推進力に加わる。以下に詳述するように、中足領域１０９に配置されたリブとバーは、中足領域１０９に剛性を加える。この剛性は、曲がることに対する抵抗を中足領域１０９に生じさせる。こうして、構造体１１８への加圧に起因して、構造体１１８が前足領域１０７で曲がり得るが、中足領域１０９における剛性は、加圧の大きさに応じて曲がってしまわないように抵抗し得る。
【００３５】
内側踵パッド１５４は、踵領域１１１に、内側コバ１１２と後側コバ１１４と隣接して配置され得る。第１の外側踵パッド１５６は、踵領域１１１に、外側コバ１１６と隣接して配置され得る。第２の外側踵パッド１５８は、踵領域１１１に、外側コバ１１６と後側コバ１１４と隣接して配置され得る。第２の外側踵パッド１５８は、第１の外側踵パッド１５６と後側コバ１１４との間に配置され得る。第１の外側踵パッド１５６と第２の外側踵パッド１５８は、外側中足バー１５２とほぼ平行な方向に整列しているとよい。第１の外側踵パッド１５６は、第２の外側踵パッド１５８と接続されているとよい。いくつかの実施例においては、第１の外側踵パッド１５６は、前側コバ１１０へ向けて及び後側コバ１１４へ向けて先細になっている。いくつかの実施例においては、第２の外側踵パッド１５８は、前側コバ１１０へ向けて及び後側コバ１１４へ向けて先細になっている。第１の外側踵パッド１５６と第２の外側踵パッド１５８とは、これら両方の外側踵パッドが先細になる一点で接続されていることで、当該接続点において柔軟性が高められているとよい。
【００３６】
いくつかの実施例においては、内側踵スタッド１６０は、内側踵パッド１５４上に配置される。いくつかの実施例においては、第１の外側踵スタッド１６２は、第１の外側踵パッド１２４上に配置される。いくつかの実施例においては、第２の外側踵スタッド１６４は、選択的に、第２の外側踵パッド１５８上に配置される。内側踵スタッド１６０、第１の外側踵スタッド１６２及び／又は第２の外側踵スタッド１６４の寸法、形状及び／又は位置は、様々なファクタに基づいて選択され得る。例えば、内側踵スタッド１６０の寸法、形状及び／又は位置は、着用者が後方へ動くときにある程度の大きさの静止摩擦力をもたらすように選択される。他の例においては、第１の外側踵スタッド１６２および第２の外側踵スタッド１６４の寸法、形状及び／又は位置は、着用者が横方向へ動くときに安定性をもたらすとともに、着用者の足の外側における静止摩擦力を高めるように、選択される。いくつかの実施例においては、内側踵スタッド１６０は孔１５９を含み、第１の外側踵スタッド１６２は孔１６１を含み、及び／又は第２の外側踵スタッド１６４は孔１６３を含む。孔１５９、孔１６１及び／又は孔１６３は、『Ｃｌｅａｔ  Ｍｅｍｂｅｒ  ｆｏｒ  Ａｒｔｉｃｌｅ  ｏｆ  Ｆｏｏｔｗｅａｒ』という発明の名称で２００９年９月２４日に発行されたＡｕｇｅｒらの米国特許出願公開第２００９／０２３５５５８号明細書に開示されている種々の特徴部を含む場合があり、上記明細書の全体が本願の参照となる。いくつかの実施例においては、第１の外側踵スタッド１６２と第２の外側踵スタッド１６４とは互いに、外側中足バー１５２とほぼ平行な方向に整列している。いくつかの実施例においては、第１の外側踵スタッド１６２と第２の外側踵スタッド１６４とは互いに、第２の外側前足スタッド１３８と第３の外側前足スタッド１４０とが互いに整列している方向とほぼ平行な方向に、整列している。いくつかの実施例においては、内側踵パッド１５４は、内側踵スタッド１６０の根元よりも広い表面積を有する。いくつかの実施例においては、内側踵スタッド１６０の根元の寸法、形状及び／又は位置は、内側踵パッド１５４の寸法、形状および位置に基づいて選択される。内側踵スタッド１６０が根元から先端まで先細になっていることで、根元に安定性をもたらすとともに先端における穿通（力）が高められているとよい。内側踵スタッド１６０は、円形の先端を有し得る。
【００３７】
各図に示されているように、いくつかの実施例においては、第１の外側踵スタッド１６２と第２の外側踵スタッド１６４は、各々の自己のパッド上に配置されているとともに、自己の根元を有する。他の実施例においては、第１の外側踵スタッド１６２と第２の外側踵スタッド１６４は、これら２つのスタッドが単一の根元を共有するように、これらの根元において結合されている。いくつかの実施例においては、第１の外側踵パッド１５６は、第１の外側踵スタッド１６２の根元よりも広い表面積を有する。いくつかの実施例においては、第２の外側踵パッド１５８は、第２の外側踵スタッド１６４の根元よりも広い表面積を有する。いくつかの実施例においては、第１の外側踵スタッド１６２の根元及び／又は第２の外側踵スタッド１６４の根元の寸法、形状及び／又は位置は、第１の外側踵パッド１５６及び／又は第２の外側踵パッド１５８の寸法、形状および位置に基づいて選択される。第１の外側踵スタッド１６２が根元から先端まで先細になっていることで、根元に安定性をもたらすとともに先端での穿通（力）が高められているとよい。第１の外側踵スタッド１６２は、円形の先端を有し得る。第２の外側踵スタッド１６４が根元から先端まで先細になっていることで、根元に安定性をもたらすとともに先端での穿通（力）が高められているとよい。第２の外側踵スタッド１６４は、円形の先端を有し得る。
【００３８】
踵リブ１６６は、内側踵パッド１５４を第１の外側踵パッド１５６に接続し得る。踵リブ１６６は、内側踵パッド１５４を第２の外側踵パッド１５８に接続し得る。踵リブ１６６は、内側踵パッド１５４から、第１の外側踵パッド１５６と第２の外側踵パッド１５８とが互いに接続する点まで延在し得る。この接続を有することにより、内側踵スタッド１６０、第１の外側踵スタッド１６２および第２の外側踵スタッド１６４の下に加わるスタッドの圧力が緩和され得る。踵リブ１６６は、長手方向軸Ａとほぼ垂直な方向に延在し得る。図１，３，５と図７とを比較して判るように、踵リブ１６６は、ベースプレート１０２の底面１０８においてよりもベースプレート１０２の上面２０６において幅広になっている場合がある。図７に示されているように、踵リブ１６６は、該踵リブ１６６の上面が平坦になっているとともに、ベースプレート１０２の上面２０６とほぼ面一になっているとよい。図１，３，５に示されているように、踵リブ１６６の一部は、該踵リブ１６６一部の底面が丸まっているとともに、ベースプレート１０２の底面１０８から突出しているとよい。
【００３９】
第１の斜めリブ１４６は、第２の内側前足パッド１２２から第１の外側踵パッド１５６までの間に延在し得る。図１，３，５と図７とを比較して判るように、第１の斜めリブ１４６は、ベースプレート１０２の底面１０８においてよりも、ベースプレート１０２の上面２０６において幅広になっている場合がある。図７に示されているように、第１の斜めリブ１４６は、該第１の斜めリブ１４６の上面が平坦になっているとともに、ベースプレート１０２の上面２０６とほぼ面一になっているとよい。図１，３，５に示されているように、第１の斜めリブ１４６の一部が、該第１の斜めリブ１４６の底面が丸まっているとともに、ベースプレート１０２の底面１０８から突出しているとよい。第１の斜めリブ１４６の底面１０８から突出している部分の幅は、スタッドに向けて増大しているとよい。
【００４０】
第２の斜めリブ１４８は、第２の外側前足スタッド１３８から内側踵パッド１５４まで延在し得る。図１，３，５と図７とを比較して判るように、第２の斜めリブ１４８は、ベースプレート１０２の底面１０８においてよりもベースプレート１０２の上面２０６において幅広になっている場合がある。図７に示されているように、第２の斜めリブ１４８は、該第２の斜めリブ１４８の上面が平坦であるとともに、ベースプレート１０２の上面２０６とほぼ面一であるとよい。図１，３，５に示されているように、第２の斜めリブ１４８の一部は、該第２の斜めリブ１４８の一部の底面が丸まっているとともに、ベースプレート１０２の底面１０８から突出しているとよい。底面１０８から突出している第２の斜めリブ１４８の部分の幅は、スタッドに向けて増大しているとよい。
【００４１】
第１の斜めリブ１４６と第２の斜めリブ１４８とは、これら２つのリブがＸ字形の形状を形成するように、中心領域付近の中足領域１０９において交差しているとよい。第１の斜めリブ１４６と第２の斜めリブ１４８とは、これら２つのリブの交差点で接続されているとよい。第１の斜めリブ１４６と第２の斜めリブ１４８とによるＸ字形の構成および突出プロファイルを有することにより、曲げ運動する際に着用者の足のアーチ（土踏まず）を支持するアーチ剛性がもたらされ得る。図７に点線で示されているように、構造体１１８の重量を減少させるために、構造体１１８の上面の複数部分（第１の斜めリブ１４６と第２の斜めリブ１４８を含む）がその上面において中空になっているとよい。
【００４２】
内側中足バー１５０は、内側コバ１１２に近接して配置され得る。内側中足バー１５０は、第１の斜めリブ１４６と第２の斜めリブ１４８の両方に接続されているとよい。内側中足バー１５０の一端は、第２の内側前足パッド１２２と、第１の斜めリブ１４６と第２の斜めリブ１４８の交差点と、の間に位置する第１の点で、第１の斜めリブ１４６に接続されているとよい。内側中足バー１５０の反対側にある他端は、内側踵パッド１５４と、第１の斜めリブ１４６と第２の斜めリブ１４８の交差点と、の間に位置する第２の点で、第２の斜めリブ１４８と接続されているとよい。いくつかの実施例においては、内側中足バー１５０は、ほぼ真直ぐに延びている。図５に示されているように、いくつかの実施例においては、内側中足バー１５０は、若干湾曲している。内側中足バー１５０は、長手方向軸Ａとほぼ平行な方向に延在し得る。内側中足バー１５０は、第２の内側前足パッド１２２と内側踵パッド１５４との間に延在するように、第１の斜めリブ１４６と第２の斜めリブ１４８に結び付いているとよい。この配置を有することで、第２の内側前足パッド１２２と内側踵パッド１５４との間の剛性が高められるとともに、第２の内側前足スタッド１３４と内側踵スタッド１６０の下に加わるスタッドの圧力が緩和され得る。図７に示されているように、内側中足バー１５０は、該内側中足バー１５０の上面が平坦であるとともに、ベースプレート１０２の上面２０６とほぼ面一になっているとよい。また、図１，３，５に示されているように、内側中足バー１５０は、該内側中足バー１５０の底面が丸まっているとともに、ベースプレート１０２の底面１０８から突出しているとよい。
【００４３】
外側中足バー１５２は、外側コバ１１６と隣接して配置され得る。外側中足バー１５２は、第１の斜めリブ１４６と第２の斜めリブ１４８の両方に接続されているとよい。外側中足バー１５２の一端が、第２の外側前足パッド１２４と、第１の斜めリブ１４６と第２の斜めリブ１４８の交差点と、の間に位置する第１の点で、第２の斜めリブ１４８に接続されているとよい。外側中足バー１５２の他端が、第１の外側踵パッド１５６と、第１の斜めリブ１４６と第２の斜めリブ１４８の交差点と、の間に位置する第２の点で、第１の斜めリブ１４６と接続されているとよい。いくつかの実施例においては、外側中足バー１５２は、若干湾曲している。図５に示されているように、いくつかの実施例においては、外側中足バー１５２は、ほぼ真直ぐに延びている。外側中足バー１５２は、長手方向軸Ａとほぼ平行な方向に延在し得る。外側中足バー１５２と内側中足バー１５０とは、互いにほぼ平行になっているとよい。外側中足バー１５２は、第２の外側前足パッド１２６と第１の外側踵パッド１５６との間に延在するように、第１の斜めリブ１４６と第２の斜めリブ１４８に結び付いているとよい。この配置を有することで、第２の外側前足パッド１２６と第１の外側踵パッド１５６との間の剛性が高まるとともに、第２の外側前足スタッド１３８、第３の外側前足スタッド１４０および第１の外側踵スタッド１６２の下に加わるスタッドの圧力が緩和され得る。図１〜図７に示されているように、第１の外側踵パッド１５６が第２の外側踵パッド１５８に接続されている実施例においては、外側中足バー１５２の配置はまた、第２の外側踵スタッド１６４の下に加わるスタッドの圧力を緩和させることができる。図７に示されているように、外側中足バー１５２は、該外側中足バー１５２の上面が平坦になっているとともに、ベースプレート１０２の上面２０６とほぼ面一になっているとよい。また、図１，３，５に示されているように、外側中足バー１５２は、該外側中足バー１５２の底面が丸まっているとともに、ベースプレート１０２の底面１０８から突出しているとよい。内側中足バー１５０と外側中足バー１５２が協働して、中足領域１０９での捩じれに抵抗する捩じり剛性をベースプレート１０２にもたらし得る。
【００４４】
当業者であれば、本発明の範囲内において更に多くの実施形態や応用形態が適用され得ることが明らかであろう。従って、本発明は、添付の特許請求の範囲およびこれの均等物に照らすこと以外によっては制限されない。また、添付の特許請求の範囲を逸脱することなく、さまざまな変形や変更がなされ得る。
【図１】
2015211923.tif 000003
【図２】
2015211923.tif 000004
【図３】
2015211923.tif 000005
【図４】
2015211923.tif 000006
【図５】
2015211923.tif 000007
【図６】
2015211923.tif 000008
【図７】
2015211923.tif 000009